(57)【要約】      （修正有）【課題】簡単な操作で、液を毛髪や頭、顔の皮膚の必要とする場所へ十分かつ適量塗布する。【解決手段】容器本体に貯留する液を塗布する液塗布用具１において、液を浸み込ませて塗布する多孔質塗布棒３２と、多孔質塗布棒３２を押す操作によって容器本体に貯留する液を多孔質塗布棒３２に供給するポンプ３１と、液吸入口側に錘を有し、使用状態に応じて液吸入口を容器本体の液中に位置させて液をポンプ３１に導く可とう性チューブ３３と、倒立状態において容器本体内への外気の流入を遮断し、更に容器本体内が負圧となったときに容器本体内に外気を流入させる外気導入用逆止弁４０とを備える。【選択図】図２
2016059432.tif 000002
【特許請求の範囲】
【請求項１】
容器本体に貯留する液を塗布する液塗布用具において、
液を浸み込ませて塗布する多孔質塗布棒と、
前記多孔質塗布棒を押す操作によって前記容器本体に貯留する液を前記多孔質塗布棒に供給するポンプと、
液吸入口側に錘を有し、使用状態に応じて液吸入口を前記容器本体の液中に位置させて  液を前記ポンプに導く可とう性チューブと、
倒立状態において前記容器本体内への外気の流入を遮断し、更に前記容器本体内が負圧となったときに前記容器本体内に外気を流入させる外気導入用逆止弁と、を備えることを特徴とする液塗布用具。
【請求項２】
容器本体に貯留する液を塗布する液塗布用具において、
前記容器本体は、可とう性材料で成形された容器であり、
液を浸み込ませて塗布する多孔質塗布棒と、
液吸入口側に錘を有し、使用状態に応じて液吸入口を前記容器本体の液中に位置させ、
前記容器本体を押す操作によって液を前記多孔質塗布棒に導く可とう性チューブと、
倒立状態において前記容器本体内への外気の流入を遮断し、更に前記容器本体内が負圧となったときに前記容器本体内に外気を流入させる外気導入用逆止弁と、を備えることを特徴とする液塗布用具。
【請求項３】
容器本体に貯留する液を塗布する液塗布用具において、
前記容器本体は、可とう性材料で成形された容器であり、
倒立状態において前記容器本体に貯留する液を浸み込ませて塗布する多孔質塗布棒と、
倒立状態において前記容器本体内への外気の流入を遮断し、更に前記容器本体内が負圧となったときに前記容器本体内に外気を流入させる外気導入用逆止弁と、を備えることを特徴とする液塗布用具。
【請求項４】
前記多孔質塗布棒は、液体を塗布方向へ導く溝または通路を有することを特徴とする請求項１乃至請求項３のいずれか１項に記載の液塗布用具。
【請求項５】
液を塗布するブラシまたはコームを備えることを特徴とする請求項１乃至請求項３のいずれか１項に記載の液塗布用具。
【請求項６】
前記外気導入用逆止弁は、
前記容器本体、前記コームまたはブラシを設けた部分、前記コームまたはブラシを設けた部分以外の部分のいずれかに備えることを特徴とする請求項１乃至請求項３のいずれか１項に記載の液塗布用具。
【発明の詳細な説明】
【技術分野】
【０００１】
この発明は、育毛剤や整髪料、洗浄剤、化粧剤、美容剤等の塗布液を毛髪や頭、顔の皮膚の必要とする場所へ適量塗布することのできる液塗布用具に関する。
【背景技術】
【０００２】
泡状整髪料等の塗布液を毛髪に塗布するようにしたものとして、特開平１０−３３２６５号公報に開示され、このものはブラシの毛の先端に栓が設けられ、栓を棒状体として、ブラシで頭皮を叩いてマッサージする時に栓が引っ込んで塗布液が塗布される。さらに、頭髪への育毛剤や頭皮痛み保護のトニック液などの塗布液を塗布する点滴用具があり、この点滴用具は瓶口元中栓の中心孔から塗布液を頭髪や頭皮に手で振りかけている。また、特許第４７５３２３３号公報に開示されるものがあり、このものは塗布液を計量室で計量し、押込み棒を頭皮に押し当てたときのみ計量室の塗布液を塗布する。
【先行技術文献】
【特許文献】
【０００３】
【特許文献１】特開平１０−３３２６５号公報
【特許文献２】特許第４７５３２３３号公報
【発明の概要】
【発明が解決しようとする課題】
【０００４】
しかしながら、栓を棒状体としてブラシで頭皮を叩いてマッサージする時に、栓が引っ込んで塗布液が塗布されるため、塗布液を十分に塗布することができない。一方、点滴用具では、上から下に振って頭部寸前で自分で止めるために振られた反応に反動で頭部に当たり、怪我をしてしまう虞がある。また、振り方加減で塗布液の出が大きくバラつき多く出しすぎると顔にまで流れて刺激が大きい塗布液であるが故に顔皮膚を痛めてしまい、仮に少量だと何回も繰り返しを余技なくされ、頭皮の毛穴に塗布液を浸透させることはできなかった。また、塗布液を計量室で計量し、押込み棒を頭皮に押し当てたときのみ計量室の塗布液を塗布するものは、計量された量しか塗布することができなかった。
【０００５】
この発明は、これら従来の問題点を解消し、簡単な操作で、液を毛髪や頭、顔の皮膚の必要とする場所へ十分かつ適量塗布することができる液塗布用具を提供することを目的とするものである。
【課題を解決するための手段】
【０００６】
前記課題を解決し、かつ目的を達成するために、この発明は、以下のように構成した。
【０００７】
請求項１に記載の発明は、容器本体に貯留する液を塗布する液塗布用具において、
液を浸み込ませて塗布する多孔質塗布棒と、
前記多孔質塗布棒を押す操作によって前記容器本体に貯留する液を前記多孔質塗布棒に
供給するポンプと、
液吸入口側に錘を有し、使用状態に応じて液吸入口を前記容器本体の液中に位置させて液を前記ポンプに導く可とう性チューブと、
倒立状態において前記容器本体内への外気の流入を遮断し、更に前記容器本体内が負圧となったときに前記容器本体内に外気を流入させる外気導入用逆止弁と、を備えることを特徴とする液塗布用具である。
【０００８】
請求項２に記載の発明は、容器本体に貯留する液を塗布する液塗布用具において、前記容器本体は、可とう性材料で成形された容器であり、
液を浸み込ませて塗布する多孔質塗布棒と、
液吸入口側に錘を有し、使用状態に応じて液吸入口を前記容器本体の液中に位置させ、
前記容器本体を押す操作によって液を前記多孔質塗布棒に導く可とう性チューブと、
倒立状態において前記容器本体内への外気の流入を遮断し、更に前記容器本体内が負圧となったときに前記容器本体内に外気を流入させる外気導入用逆止弁と、を備えることを特徴とする液塗布用具である。
【０００９】
請求項３に記載の発明は、容器本体に貯留する液を塗布する液塗布用具において、
前記容器本体は、可とう性材料で成形された容器であり、
倒立状態において前記容器本体に貯留する液を浸み込ませて塗布する多孔質塗布棒と、倒立状態において前記容器本体内への外気の流入を遮断し、更に前記容器本体内が負圧となったときに前記容器本体内に外気を流入させる外気導入用逆止弁と、を備えることを特徴とする液塗布用具である。
【００１０】
請求項４に記載の発明は、前記多孔質塗布棒は、液体を塗布方向へ導く溝または通路を有することを特徴とする請求項１乃至請求項３のいずれか１項に記載の液塗布用具である。
【００１１】
請求項５に記載の発明は、液を塗布するブラシまたはコームを備えることを特徴とする請求項１乃至請求項３のいずれか１項に記載の液塗布用具である。
【００１２】
請求項６に記載の発明は、前記外気導入用逆止弁は、
前記容器本体、前記コームまたはブラシを設けた部分、前記コームまたはブラシを設けた部分以外の部分のいずれかに備えることを特徴とする請求項１乃至請求項３のいずれか１項に記載の液塗布用具である。
【発明の効果】
【００１３】
前記構成により、この発明は、以下のような効果を有する。
【００１４】
請求項１に記載の発明では、可とう性チューブは、液吸入口側に錘を有し、使用状態に応じて液吸入口を容器本体の液中に位置させ、多孔質塗布棒を塗布しようとする部位に押し付ける操作によってポンプが作動して容器本体に貯留する液を多孔質塗布棒に浸み込ませて塗布し、いかなる使用状態においても簡単な操作で、液を毛髪や頭、顔の皮膚の必要とする場所へ十分かつ適量塗布することができる。
【００１５】
請求項２に記載の発明では、可とう性チューブは、液吸入口側に錘を有し、使用状態に応じて液吸入口を容器本体の液中に位置させ、容器本体を押し圧することによって貯留する液を多孔質塗布棒に浸み込ませて塗布し、いかなる使用状態においても簡単な操作で、液を毛髪や頭、顔の皮膚の必要とする場所へ十分かつ適量塗布することができる。
【００１６】
請求項３に記載の発明では、容器本体を押し圧することによって貯留する液を多孔質塗布棒に浸み込ませて塗布し、いかなる使用状態においても簡単な操作で、液を毛髪や頭、顔の皮膚の必要とする場所へ十分かつ適量塗布することができる。
【００１７】
請求項４に記載の発明では、多孔質塗布棒は、液を塗布方向へ導く溝または通路を有することで、多孔質塗布棒全体に液を浸み込ませて塗布することができる。
【００１８】
請求項５に記載の発明では、液を塗布するブラシまたはコームを備えることで、液を塗布しながらブラシまたはコームによりブラシング及び掻きながら液を毛髪や頭、顔の皮膚の必要とする場所へ十分かつ適量塗布することができる。
【００１９】
請求項６に記載の発明では、外気導入用逆止弁は、容器本体、コームまたはブラシを設けた部分、コームまたはブラシを設けた部分以外の部分のいずれかに備えることで、いかなる使用状態においても液を毛髪や頭、顔の皮膚の必要とする場所へ十分かつ適量塗布することができる。
【図面の簡単な説明】
【００２０】
【図１】第１の実施の形態の液塗布用具の構成を示す図である。
【図２】液塗布用具の使用状態を示す図である。
【図３】第２の実施の形態の液塗布用具の構成を示す図である。
【図４】第３の実施の形態の液塗布用具の構成を示す図である。
【図５】第４の実施の形態の液塗布用具の構成を示す図である。
【図６】第５の実施の形態の液塗布用具の構成を示す図である。
【図７】第６の実施の形態の液塗布用具の構成を示す図である。
【図８】第７の実施の形態の液塗布用具の構成を示す図である。
【図９】第８の実施の形態の液塗布用具の構成を示す図である。
【図１０】第９の実施の形態の液塗布用具の構成を示す図である。
【図１１】多孔質塗布棒の平面図を示す図である。
【図１２】他のポンプの構成を示す図である。
【図１３】他のポンプの構成を示す図である。
【図１４】他のポンプの構成を示す図である。
【図１５】他の外気導入用逆止弁の構成を示す図である。
【図１６】他の外気導入用逆止弁の構成を示す図である。
【図１７】他の外気導入用逆止弁の構成を示す図である。
【図１８】他の外気導入用逆止弁の構成を示す図である。
【図１９】外気導入用逆止弁の配置を示す図である。
【発明を実施するための形態】
【００２１】
以下、この発明の液塗布用具の実施の形態について説明する。この発明の実施の形態は発明の最も好ましい形態を示すものであり、この発明はこれに限定されない。この液塗布用具は育毛剤や整髪料、洗浄剤、化粧剤、美容剤等の液を貯留しており、これらの液を適量塗布するものである。
【００２２】
（第１の実施の形態）
この実施の形態の液塗布用具は図１及び図２に示すように構成され、図１は液塗布用具の断面図、図２は液塗布用具の使用状態を示す断面図である。この液塗布用具１は容器本体１０とキャップ２０を有し、容器本体１０にキャップ２０が着脱可能になっている。容器本体１０には液を塗布する塗布部３０が備えられ、容器本体１０に貯留する液を塗布部３０から吐出させて塗布するように構成される。
【００２３】
容器本体１０は合成樹脂で成形され、容器開口部１０ａには容器カバー１１が取り付けられている。容器カバー１１は塗布台座１２で覆われており、この塗布台座１２にはキャップ２０が着脱可能になっている。
【００２４】
塗布部３０はポンプ３１と多孔質塗布棒３２と可とう性チューブ３３とを有する。ポンプ３１はシリンダ３１ａとピストン３１ｂとピストンロッド３１ｃとを備え、容器カバー１１とポンプハウジング３４に組み付けられている。このポンプハウジング３４は容器カバー１１に組み付けられている。
【００２５】
シリンダ３１ａにはピストン３１ｂが摺動可能に組み付けられ、このピストン３１ｂに組み付けられたピストンロッド３１ｃにはプレート３１ｄが固定されている。プレート３１ｄの先端部には多孔質塗布棒３２が固定され、プレート３１ｄとシリンダ３１ａの間にはスプリング３１ｅが設けられ、スプリング３１ｅは多孔質塗布棒３２を常に吐出方向へ付勢している。
【００２６】
ピストン３１ｂには液通路３１ｂ１が形成され、この液通路３１ｂ１は開閉弁３１ｆにより開閉される。多孔質塗布棒３２にはプレート３１ｄに形成された通路３１ｄ１を介してポンプ３１の作動によりポンプ室３８から液が供給される。
【００２７】
多孔質塗布棒３２は液を浸み込ませて塗布するように多孔質材料で成形され、例えばアクリル繊維、ポリエステル繊維、ナイロン（登録商標）繊維、ビニロン繊維を原料とし、この原料を樹脂で固めたり、焼結させたりしたものが使用される。
【００２８】
シリンダ３１ａには可とう性チューブ３３が接続され、シリンダ３１ａに内部には可とう性チューブ３３の接続部に液吐出用逆止弁３５が設けられている。可とう性チューブ３３は樹脂、ゴムで成形され、液吸入口側に錘３６を有しており、錘３６の重さによって使用状態に応じて液吸入口３３ａを常に液中に導くことができる。可とう性チューブ３３は樹脂で成形される。この樹脂材としては例えば熱可塑性樹脂であり、ポリオレフィン系樹脂、ポリスチレン系樹脂、ポリ塩化ビニル樹脂、ポリ塩化ビニリデン、ポリビニルアルコール系樹脂、ポリアクリルニトリル樹脂、ポリアクリル酸樹脂、ジェン系樹脂、ポリアミド系樹脂、ポリエステル系樹脂、ポリカーボネート、ポリアセタール、フッ素系樹脂、ポリウレタン系樹脂等である。ポリオレフィン系樹脂としてはポリエチレン、ポリプロピレン、４−メチルペンテン−１、ポリブテン−１、直鎖状低密度ポリエチレン等である。ポリビニルアルコール系樹脂としてはエチレン−ビニルアルコールコポリマー、エチレン−酢酸ビニルコポリマー、シンジオタクチックポリビニルアルコール等がある。ジェン系樹脂としてはポリブタジェン系、ポリイソプレン系、環化ジェン系等である。この可とう性チューブ３３はパイプ、あるいは蛇腹で屈曲可能に成形される。
【００２９】
ポンプハウジング３４には外気導入用逆止弁４０が設けられている。この外気導入用逆止弁４０は弁体４０ａと錘４０ｂから構成され、弁体４０ａがポンプハウジング３４に形成された孔３４ａに移動可能に設けられ、弁体４０ａに固定した錘４０ｂが容器本体１０の内側に位置し、弁体４０ａの弁部４０ａ１が容器本体１０の外側に位置している。弁体４０ａには連通孔４０ａ２が形成され、この連通孔４０ａ２は容器本体１０の内部と容器カバー１１に形成された外部連通路１１ａを連通し、正立状態において容器本体１０内への外気の流入を遮断せず、倒立状態において容器本体１０内への外気の流入を遮断し、更に容器本体１０内が負圧となったときに容器本体１０内に外気を流入させるように構成される。
【００３０】
次に、この実施の形態の液塗布用具１の使用を図２に基づいて説明する。図２（ａ）は使用前の正立状態を示し、図２（ｂ）は使用時の倒立状態を示す。この液塗布用具１を使用しないときには図１に示すようにキャップ２０を閉じた状態であり、多孔質塗布棒３２の先端がキャップ２０の内壁に密接してポンプ３１が作動することはなく、容器本体１０の内部の液が吐出することはない。この正立状態においては図２（ａ）に示すように外気導入用逆止弁４０は弁体４０ａの連通孔４０ａ２が容器本体１０の内部と容器カバー１１に形成された外部連通路１１ａを連通しており、容器本体１０内への外気の流入を遮断していない。
【００３１】
育毛剤や整髪料などを頭部に塗布するなどの使用時にはキャップ２０を取り外し、図２（ｂ）に示すように倒立状態に多孔質塗布棒３２の先端部を頭部１００に当てることで、多孔質塗布棒３２が押し上げられてスプリング３１ｅに抗して移動する。この多孔質塗布棒３２の移動によってピストンロッド３１ｃを介してピストン３１ｂが摺動し、シリンダ３１ａのポンプ室３８に溜まる液に圧力がかかり、これにより液吐出用逆止弁３５が閉じてポンプ室３８に溜まる液の圧力が上昇して開閉弁３１ｆが開く。これにより、ポンプ室３８の液がピストン３１ｂの液通路３１ｂ１を通り、通路３１ｄ１から吐出ノズル３２の吐出通路３２ａに導かれて多孔質塗布棒３２へ供給される。
【００３２】
多孔質塗布棒３２の先端部を頭部１００に当てることを止めると、スプリング３１ｅにより多孔質塗布棒３２が吐出方向へ移動し、これに連動してピストンロッド３１ｃを介してピストン３１ｂが移動し、開閉弁３１ｆが閉じる。これにより、シリンダ３１ａのポンプ室３８の圧力が低下して負圧になり、液吐出用逆止弁３５が開き可とう性チューブ３３を介して容器本体１０の液がシリンダ３１ａのポンプ室３８に吸入される。再度、多孔質塗布棒３２の先端部を頭部１００に当てることで、同様に多孔質塗布棒３２は押し上げにより移動し、シリンダ３１ａのポンプ室３８に溜まる液に圧力がかかり、これにより液吐出用逆止弁３５が閉じてポンプ室３８に溜まる液の圧力が上昇し、ポンプ室３８の液がピストン３１ｂの液通路３１ｂ１を通り、通路３１ｄ１から吐出ノズル３２の吐出通路３２ａに導かれて多孔質塗布棒３２へ供給される。
【００３３】
この育毛剤や整髪料などを頭部に塗布するなどの使用時には液塗布用具１は倒立状態であり、容器本体１０の液が吐出部側に溜まるが、可とう性チューブ３３は液吸入口側に錘３６を有しているから、使用状態で液吸入口３３ａを吐出部側に溜まる液中に導き、液吸入口３３ａが液外に出ることはない。
【００３４】
この液塗布用具１の倒立状態では容器本体１０の吐出部３０が下方を向いていることから外気導入用逆止弁４０は錘４０ｂによって弁体４０ａが下方に移動して弁体４０ａの連通孔４０ａ２を閉じ、倒立状態において容器本体１０内への外気の流入を遮断する。更に、倒立状態で液を吐出させるポンプ３１の作動により、シリンダ３１ａのポンプ室３８の圧力が低下して負圧になり、液吐出用逆止弁３５が開き可とう性チューブ３３を介して容器本体１０の液がポンプ室３８に吸入され、容器本体１０内が負圧となる。このようにして負圧なったときに外気導入用逆止弁４０の錘４０ｂが負圧によって持ち上がり、弁体４０ａの連通孔４０ａ２が開き、容器本体１０内に外気を流入させ、これによって倒立状態で液を吐出させるポンプ３１の作動を可能にする。
【００３５】
このように、外気導入用逆止弁４０は正立状態において容器本体１０内への外気の流入を遮断せず、倒立状態において容器本体１０内への外気の流入を遮断し、更に容器本体１０内が負圧となったときに容器本体１０内に外気を流入させる。可とう性チューブ３３は液吸入口側に錘３６を有し、使用状態に応じて液吸入口３３ａを液中に導く。このため、多孔質塗布棒３２を塗布しようとする部位に押し付ける操作によってポンプ３１が作動して容器本体１０に貯留する液を多孔質塗布棒３２へ供給し、いかなる使用状態においても液を毛髪や頭、顔の皮膚の必要とする場所へ十分かつ適量塗布することができる。また、多孔質塗布棒３２により液を掃くようにして散らし、頭皮に接して刺激し、液を毛髪や頭、顔の皮膚の必要とする場所へ適量塗布することができ、かつ頭皮に接して刺激を与えることが可能である。また、多孔質塗布棒３２が、液を塗布する際に、頭皮に接して刺激し、液を毛髪や頭、顔の皮膚の必要とする場所へ適量塗布することができ、かつ頭皮に接して刺激を与えることが可能である。このようにして、頭皮、毛の生え際に液を直接塗布して地肌に擦り込み、液を散らしながら肌表面を刺激し、かつマッサージするなどを行う。
【００３６】
（第２の実施の形態）
この実施の形態の液塗布用具１は図３に示すように構成され、図３は液塗布用具の断面図である。この液塗布用具１は第１の実施の形態と同様に構成されるが、塗布部３０に液溜め部５０を設け、塗布部３０にポンプ３０の作動により液が供給される。また、塗布部３０には多孔質塗布棒６０が設けられ、この多孔質塗布棒６０は液溜め部５０の液に接触するように埋め込まれており、液が毛細管現象により多孔質塗布棒６０へ供給され、この多孔質塗布棒６０によっても液を塗布することができる。
【００３７】
外気導入用逆止弁４０は可とう性部材で形成された構成であり、可とう性部材として樹脂又はゴムを使用する。外気導入用逆止弁４０はハット形に成形されており、基部に取付部４０ｂを有し、吐出先に開閉するスリット４０ｃを有する。取付部４０ｂは塗布部３０に嵌合して取り付け、スリット４０ｂは容器本体１０の内側に位置している。この外気導入用逆止弁４０は塗布部３０の多孔質塗布棒６０を設ける部分に設けているが、この部分に限定されない。また、外気導入用逆止弁４０のスリット４０ｃは１箇所又は複数の箇所に設けることができ、スリット４０ｃの形状は十字、Ｙ字、Ｘ字、星字等にすることができ特に限定されない。
【００３８】
液塗布用具１の倒立状態では容器本体１０の塗布部３０が下方を向いていることから外気導入用逆止弁４０は液の圧力によってスリット４０ｃが閉じており、容器本体１０内への外気の流入を遮断する。更に、倒立状態で液を吐出させるポンプ３１の作動により、シリンダ３１ａのポンプ室３８の圧力が低下して負圧になり、液吐出用逆止弁３５が開き可とう性チューブ３３を介して容器本体１０の液がポンプ室３８に吸入され、容器本体１０内が負圧となる。この負圧になったときに外気導入用逆止弁４０のスリット４０ｃが負圧によって開き、容器本体１０内に外気を流入させ、これによって倒立状態で液を吐出させるポンプ３１の作動を可能にする。
【００３９】
このように、外気導入用逆止弁４０は正立状態においてスリット４０ｃが閉じて、容器本体１０内への外気の流入を遮断している。倒立状態において容器本体１０内への外気の流入を遮断し、更に容器本体１０内が負圧となったときに容器本体１０内に外気を流入させる。
【００４０】
（第３の実施の形態）
この実施の形態の液塗布用具１は図４に示すように構成され、図４は液塗布用具の断面図である。この液塗布用具１は第２の実施の形態と同様に構成されるが、塗布部３０に液溜め部５０を設け、この液溜め部５０に液を浸す綿５１が収納され、ポンプ３０の作動により液溜め部５０へ液が供給される。また、塗布部３０にはブラシ６１が設けられ、このブラシ６１は液溜め部５０の液を浸す綿５１に接触するように埋め込まれており、液を浸す綿５１から液が毛細管現象によりブラシ６１へ供給され、このブラシ６１によっても液を塗布することができる。なお、ブラシに代えて多孔質塗布棒を液溜め部５０の綿５１に接触するように埋め込むようにしてもよい。
【００４１】
（第４の実施の形態）
この実施の形態の液塗布用具１は図５に示すように構成される。この液塗布用具１の容器本体１０は可とう性部材で形成された構成であり、可とう性部材としては樹脂が用いられる。この樹脂材としては例えば熱可塑性樹脂であり、ポリオレフィン系樹脂、ポリスチレン系樹脂、ポリ塩化ビニル樹脂、ポリ塩化ビニリデン、ポリビニルアルコール系樹脂、ポリアクリルニトリル樹脂、ポリアクリル酸樹脂、ジェン系樹脂、ポリアミド系樹脂、ポリエステル系樹脂、ポリカーボネート、ポリアセタール、フッ素系樹脂、ポリウレタン系樹脂等である。ポリオレフィン系樹脂としては、ポリエチレン、ポリプロピレン、４−メチルペンテン−１、ポリブテン−１、直鎖状低密度ポリエチレン等である。ポリビニルアルコール系樹脂としては、エチレン−ビニルアルコールコポリマー、エチレン−酢酸ビニルコポリマー、シンジオタクチックポリビニルアルコール等がある。ジェン系樹脂としてはポリブタジェン系、ポリイソプレン系、環化ジェン系等である。この容器本体１０はボトル横押しボトル（スクイズタイプ）や蛇腹ボトルでも全ボトルに対応が可能である。
【００４２】
この塗布部３０に多孔質塗布棒３２を備え、多孔質塗布棒３２に可とう性チューブ３３が接続され、可とう性チューブ３３から多孔質塗布棒３２に液が供給される。可とう性チューブ３３は液吸入口側に錘３６を有し、液吸入口３３ａには液の吐出を可能にする液吐出用逆止弁５５が設けられている。この液吐出用逆止弁５５はハット形に成形されており、基部に取付部５５ａを有し、吐出先に開閉するスリット５５ｂを有する。取付部５５ａは液吸入口３３ａに嵌合して取り付けられており、スリット５５ｂは可とう性チューブ３３の内部側に位置している。ポンプハウジング３４には外気導入用逆止弁４０が設けられ、外気導入用逆止弁４０は第２の実施の形態と同様に構成される。
【００４３】
育毛剤や整髪料などを頭部に塗布するなどの使用時には塗布部３０が下方に位置するように倒立状態にすると、塗布部３０側を底にして液が溜まり、可とう性チューブ３３の液吸入口側が錘３６によって塗布部３０側へ移動する。この倒立状態では外気導入用逆止弁４０のスリット４０ｃが閉じ、容器本体１０内への外気の流入を遮断しており、しかも容器本体１０の内部の液が外気導入用逆止弁４０から漏れることはない。
【００４４】
この倒立状態において片方の手で容器本体１０を持って握り締めると、容器本体１０の内部に溜まる液にかかる圧力によって液塗布用逆止弁５５のスリット５５ｂが開き、液が可とう性チューブ３３を介して多孔質塗布棒３２に供給される。この液は多孔質塗布棒３２に浸み込み、多孔質塗布棒３２により塗布する。このとき、外気導入用逆止弁４０は容器本体１０の内部の液にかかる圧力によって閉じており、液が外気導入用逆止弁４０から漏れることはない。
【００４５】
容器本体１０を持っている握りを緩めると、容器本体１０が元の形状に復帰しようとすることで容器本体１０の内部が負圧になるが、液塗布用逆止弁５５のスリット５５ｂは閉じており、外気が可とう性チューブ３３を介して容器本体１０の内部に吸入されることはない。一方、容器本体１０が元の形状に復帰しようとすることで容器本体１０の内部が負圧になり、外気導入用逆止弁４０のスリット４０ｂが開き、外気が外部連通路１１ａから容器本体１０の内部に吸入される。これにより容器本体１０が元の形状に復帰し、再度容器本体１０を持って握り締めると、同様にして容器本体１０の内部に溜まる液にかかる圧力によって液塗布用逆止弁５５のスリット５５ｂが開き、液が可とう性チューブ３３を介して多孔質塗布棒３２へ供給され、液が多孔質塗布棒３２に浸み込み、多孔質塗布棒３２によって液を塗布することを繰り返すことができる。      
【００４６】
（第５の実施の形態）
この実施の形態の液塗布用具１は図６に示すように構成される。この実施の形態の液塗布用具１は容器本体１０が可とう性材料で成形された容器であり、塗布部３０に複数の多孔質塗布棒８１を備え、多孔質塗布棒８１に容器本体１０に貯留する液を浸み込ませて塗布するように構成される。図６（ａ）の実施の形態では多孔質塗布棒８１に容器本体１０の液が直接浸み込み、図６（ｂ）の実施の形態では多孔質塗布棒８１に容器本体１０の液がスポンジ８２を介して浸み込むように構成される。
【００４７】
塗布部３０には外気導入用逆止弁４０が備えられ、外気導入用逆止弁４０によって正立状態において容器本体１０内への外気の流入を遮断し、倒立状態において容器本体１０内への外気の流入を遮断し、更に容器本体１０内が負圧となったときに容器本体１０内に外気を流入させるように構成される。この実施の形態では容器本体１０を押し圧することによって貯留する液を多孔質塗布棒８１に浸み込ませて塗布し、いかなる使用状態においても簡単な操作で、液を毛髪や頭、顔の皮膚の必要とする場所へ十分かつ適量塗布することができる。
【００４８】
（第６の実施の形態）
この実施の形態の液塗布用具１は図７に示すように構成され、図７（ａ）は液塗布用具の斜視図、図７（ｂ）は液塗布用具の断面図、図７（ｃ）は液塗布用具の平面図である。この液塗布用具１は第１の実施の形態と同様に容器本体１０が合成樹脂でボトル状に成形されるが、多孔質塗布棒１３２の先端部には吐出通路１３２ａが複数個開口している。この液塗布用具１の使用は多孔質塗布棒１３２の先端部を例えば頭部に押してけるとポンプ１３１が駆動し、複数個開口した吐出通路１３２ａから液が拡散して吐出し、多孔質塗布棒１３２及びブラシ１１３により頭の毛髪や頭の皮膚の必要とする場所へ十分かつ適量塗布することができる。
【００４９】
（第７の実施の形態）
この実施の形態の液塗布用具１は図８に示すように構成され、図８（ａ）は液塗布用具の斜視図、図８（ｂ）は液塗布用具の断面図、図８（ｃ）は液塗布用具の平面図である。この液塗布用具１は第６の実施の形態と同様に構成されるが、ブラシに代えてコーム１１４が台と一体に形成されている。この液塗布用具１の使用は多孔質塗布棒１３２の先端部を例えば頭部に押してけると、コーム１１４が湾曲してポンプ１３１が押されて駆動し、複数個開口した吐出通路１３２ａから液が拡散して吐出し、多孔質塗布棒１３２及びコーム１１４により頭の毛髪や頭の皮膚の必要とする場所へ十分かつ適量塗布することができる。
【００５０】
（第８の実施の形態）
この実施の形態の液塗布用具１は図９に示すように構成され、図９（ａ）は液塗布用具の斜視図、図９（ｂ）は液塗布用具の断面図、図９（ｃ）は液塗布用具の使用状態を示す図である。この液塗布用具１は第７の実施の形態と同様に構成されるが、足部１９０を台１９１から長く延びるように一体に形成している。この液塗布用具１の使用は足部１９０を頭部１００に押し付けると足部１９０が曲がり、多孔質塗布棒１３２の先端部が頭部に押されてポンプ１３１が駆動し、複数個開口した吐出通路１３２ａから液が拡散して吐出し、足部１９０により頭の毛髪や頭の皮膚の必要とする場所へ十分かつ適量塗布すると共に、マッサージすることができる。
【００５１】
（第９の実施の形態）
この実施の形態の液塗布用具は図１０に示すように構成される。図１０（ａ）は液塗布用具の側面図、図１０（ｂ）は液塗布用具の塗布側から見た図、図１０（ｃ）は液塗布用具の使用状態を示す図である。
【００５２】
この実施の形態の液塗布用具１は容器本体１０２に貯留する液を吐出させて塗布するように構成され、液を吐出する多孔質塗布部１０３と、容器本体１０２に貯留する液を多孔質塗布部１０３から吐出させるポンプ１０４と、多孔質塗布部１０３から吐出する液を塗布する塗布部１０５とを備えている。塗布部１０５は多孔質塗布部１０４を中心として周囲に延びる複数本の可とう性材料で成形された刺激部１０６を有し、刺激部１０６には吸盤１０６ａが形成されている。
【００５３】
この実施の形態の液塗布用具１は例えば液を頭部に塗布する場合に容器本体１０２を持って塗布部１０５の刺激部１０６を頭部に被せ、多孔質塗布部１０３を頭部１００に押し付けるとポンプ１０４が駆動して容器本体１０２の液が多孔質塗布部１０３から吐出し頭部１００に拡散塗布される。押し付けを止めると液の吐出が停止され、再度の押し付けにより多孔質塗布部１０３から吐出し頭部に拡散塗布され、この繰り返して刺激部１０６の吸盤１０６ａにより塗布箇所をマッサージすることができる。
【００５４】
（多孔質塗布棒及び多孔質塗布部の構成）
多孔質塗布棒及び多孔質塗布部は液を浸み込ませて塗布するように多孔質材料で成形され、例えばアクリル繊維、ポリエステル繊維、ナイロン（登録商標）繊維、ビニロン繊維を原料とし、この原料を樹脂で固めたり、焼結させたりしたものが使用されるがこれに限定されず、棒状の形状も特に限定されない。また、多孔質塗布棒及び多孔質塗布部に液体を塗布方向へ導く溝または通路を形成してもよい。図１１に多孔質塗布棒の平面図を示し、図１１（ａ）の実施の形態は円形状で側面に溝が形成され、図１１（ｂ）の実施の形態は円形状で対応する側面を切り欠いて形成され、図１１（ｃ）の実施の形態は四角形状に形成され、図１１（ｄ）の実施の形態は三角形状に形成され、図１１（ｅ）の実施の形態は円形状で中心に通路が形成されている。図１１（ａ）乃至図１１（ｄ）の実施の形態にも中心に１個の通路を形成し、また複数の通路を形成してもよい。
【００５５】
（他のポンプの構成）
次に、他のポンプの構成を図１２乃至図１４に基づいて説明する。図１２に示す実施の形態について説明すると図１２（ａ）は初期状態を示し、図１２（ｂ）は押し状態を示し、図１２（ｃ）は戻し状態を示す。ポンプ部８０はポンプ本体８０ａに液パイプ８０ｂはシール材８０ｃ，８０ｄを介して移動可能に支持されている。液パイプ８０ｂには中棒８０ｅが挿入され、中棒８０ｅの端部に弁部８０ｅ１が形成され、この弁部８０ｅ１はシール材８０ｄに形成された導入通路８０ｄ１を開閉する。中棒８０ｅには、軸方向に液溝８０ｅ２が形成され、導入通路８０ｄ１から導入された液を液パイプ８０ｂに形成されたパイプ通路８０ｂ１に導く。ポンプ本体８０ａには、開閉弁８０ｆが形成されている。液パイプ８０ｂの鍔部８０ｂ２とシール材８０ｄとの間にはスプリング８０ｇが設けられ、液パイプ８０ｂに設けられた中棒８０ｅの弁部８０ｅ１はシール材８０ｄの導入通路８０ｄ１を閉じるように付勢する。液パイプ８０ｂと中棒８０ｅは一体に移動するように組み付けられている。
【００５６】
図１２（ａ）の初期状態ではスプリング８０ｇにより液パイプ８０ｂが付勢され、中棒８０ｅの弁部８０ｅ１はシール材８０ｄの導入通路８０ｄ１を閉じると共に開閉弁８０ｆが閉じている。液パイプ８０ｂが押された図１２（ｂ）の押し状態では液パイプ８０ｂと共に中棒８０ｅが移動して弁部８０ｅ１はシール材８０ｄの導入通路８０ｄ１を開く。この中棒８０ｅの移動によりパイプ内液室８０ｈの液の圧力が上昇し、開閉弁８０ｆが閉じ、液が導入通路８０ｄ１に導入される。液は中棒８０ｅの液溝８０ｅ２から液パイプ８０ｂのパイプ通路８０ｂ１を通り、吐出する。
【００５７】
液パイプ８０ｂを押すことが解除されると、液パイプ８０ｂが初期状態に戻り、図１２（ｃ）の戻し状態では液パイプ８０ｂと共に中棒８０ｅが移動して戻り、弁部８０ｅ１がシール材８０ｄの導入通路８０ｄ１を閉じ。この中棒８０ｅの移動によりパイプ内液室８０ｈの液の圧力が下がり、開閉弁８０ｆが開き、パイプ内液室８０ｈに液が導入される。液パイプ８０ｂが押されると、図１３（ｂ）の押し状態になり、液が中棒８０ｅの液溝８０ｅ２から液パイプ８０ｂのパイプ通路８０ｂ１を通り吐出し、この繰り返しにより液を毛髪や頭、顔の皮膚の必要とする場所へ適量塗布することができる。
【００５８】
図１３に示す実施の形態について説明すると図１３（ａ）は初期状態を示し、図１３（ｂ），  （ｃ）は使用状態を示す。このポンプ部１１０は吐出通路１１１、中棒部材１１２及び付勢手段１１３を有する。吐出通路１１１は内壁１１０ａに形成した内側通路１１１ａと、先端部１１０ｂに形成した吐出側通路１１１ｂから構成される。この中棒部材１１２の先端側が多孔質塗布棒で形成されている。
【００５９】
この中棒部材１１２は押し上げにより移動して吐出通路１１１を開き液を吐出させる導き機能を有し、押し上げによる中棒部材１１２の移動に応じて液の吐出量を変化させる。この実施の形態では中棒部材１１２は弁部１１２ａと鍔部１１２ｂとを有し、弁部１１２ａは内側通路１１１ａを開閉する。付勢手段１１３は中棒部材１１２を内側通路１１１ａを閉じ方向に付勢し、中棒部材１１２の押し上げ力に対して負荷を与える構成であり、この実施の形態ではバネ１１３ａが用いられる。バネ１１３ａは、一端部を鍔部１１２ｂに固定し、他端部を内壁１１０ａに固定して設けられ、中棒部材１１２の中棒先端部１１２ｃが先端部１１０ｂから突出し、かつ弁部１１２ａが内側通路１１１ａを閉じる方向へ常に付勢する。この実施の形態では付勢手段１１３をバネ１１３ａで構成しているが、これに限定されず伸縮する樹脂を用いて構成してもよい。
【００６０】
この実施の形態の液塗布用具の使用について説明する。図１３（ａ）の初期状態ではバネ１１３ａが伸びて弁部１１２ａが内側通路１１１ａを閉じるために、液は吐出しない。そして、液塗布用具を頭部の上方に持ち上げて、図１３（ｂ）に示すようにポンプ部１１０を下方に向けて中棒先端部１１２ｃを頭部に押し付けて押すことで、バネ１１３ａが縮み中棒部材１１２は押し上げにより移動して弁部１１２ａが内側通路１１１ａを開き、液が内側通路１１１ａを流下し、さらに吐出側通路１１１ｂに流れ込み、中棒先端部１１２ｃの周囲が案内となって液を定量吐出させることができる。さらに、図１３（ｃ）に示すように、使用者が中棒先端部１１２ｃを頭皮に押し当て、中棒部材１１２を押し上げると、この押し上げによる中棒部材１１２の移動に応じて弁部１１２ａが内側通路１１１ａをさらに開き、液が内側通路１１１ａをさらに流下することで、液の吐出量を変化させることができる。
【００６１】
図１４に示す実施の形態について説明すると図１４（ａ）はキャップを開いた状態を示し、図１４（ｂ）は使用時に液が吐出する状態を示し、図１４（ｃ）は使用時に液が吐出しない状態を示す。このポンプ部２１０は液を貯留する液室２１１、導入通路２１２、吐出通路２１３を有する。導入通路２１２は液を液室２１１に導入し、吐出通路２１３は液室２１１の液を吐出させる。ポンプ部１０に備えられる棒部材２１４は吐出通路２１３を開閉する吐出制御弁２１４ａと導入通路２１２を開閉する導入制御弁２１４ｂを有し、付勢手段２１５によって吐出制御弁２１４ａが吐出通路２１３を閉じ、導入制御弁２１４ｂが導入通路２１２を開くように付勢する。導入制御弁２１４ｂは棒部材２１４の後端部を小径にして形成したテーパ部によって構成される。この棒部材２１４が多孔質塗布棒で形成されている。
【００６２】
使用時にキャップを取り外しポンプ部２１０の蓋を外した状態にすると棒部材２１４が付勢手段２１５によって押し上げと反対方向に移動し、吐出制御弁２１４ａが吐出通路１３を閉じ、導入制御弁２１４ｂが導入通路１２を開き、平常状態とする（図１４（ａ））。この平常状態では棒部材２１４は吐出制御弁２１４ａが吐出通路２１３を閉じ、導入制御弁２１４ｂが導入通路２１２を開き、液が導入通路２１２を通り液室２１１に導入される。この液は吐出通路２１３から吐出不可能であり、液室２１１に溜まる。
【００６３】
育毛剤や整髪料などを頭部に塗布するなどの使用時には棒部材２１４の先端部を頭部に当てることで、棒部材２１４は押し上げにより移動して吐出制御弁２１４ａが吐出通路２１３を開き液室２１１の液の吐出を開始し、導入制御弁２１４ｂが導入通路２１２を閉じるまで液の吐出を続ける（図１４（ｂ））。導入制御弁２１４ｂが導入通路２１２を閉じると、吐出制御弁２１４ａが吐出通路２１３を開いているが、液貯蔵部２２０から液が導入通路２１２を通り液室２１１に導入されることがないから液室２１１の液は吐出通路２１３から吐出することはない（図１４（ｃ））。
【００６４】
このように、棒部材２１４は平常状態では吐出制御弁２１４ａが吐出通路２１３を閉じ、導入制御弁２１４ｂが導入通路２１２を開き、液の吐出が不可能であり、使用時に棒部材２１４が押し上げにより移動すると、吐出制御弁２１４ａが吐出通路２１３を開き液の吐出を開始し、導入制御弁２１４ｂが導入通路２１２を閉じるまで液の吐出を続け、この開始から閉じるまでで吐出量が決まる。したがって揮発の内気圧、自重、空気との交換の何れにも影響されることなく、液の適量吐出が可能である。
【００６５】
（外気導入用逆止弁の構成）
次に、第１の実施の形態乃至第９の実施の形態には、外気導入用逆止弁４０が備えられているが、他の実施の形態の外気導入用逆止弁を用いてもよい。この外気導入用逆止弁の構成を、図１５乃至図１８に基づいて説明する。図１５の実施の形態は図１及び図２に示す実施の形態と同様に構成されるが、弁体４０ａがスプリング４０ｋによって、図１５（ａ）に示す正立状態において外気の流入を遮断せず、図１５（ｂ）に示す倒立状態において外気の流入を遮断する。
【００６６】
図１６の実施の形態では外気導入用逆止弁４０の通路４０ｈが容器本体１０に形成され、小径路４０ｈ１と大径路４０ｈ２と弁室４０ｈ３とから形成されている。大径路４０ｈ２から弁ボール４０ｈ４が弁室４０ｈ３に挿入され、大径路４０ｈ２には切り欠き４０ｈ５が形成されている。図１６（ａ）に示す正立状態において、弁ボール４０ｈ４が大径路４０ｈ２を塞いでいるが、切り欠き４０ｈ５によって外気の流入を遮断せず、図１６（ｂ）に示す倒立状態において弁ボール４０ｈ４が小径路４０ｈ１を塞ぎ外気の流入を遮断する。
【００６７】
図１７の実施の形態では容器本体１０に外気導入用逆止弁４０が設けられ、外気導入用逆止弁４０はハット状の弁体４０ｉを有する。この弁体４０ｉは小径路４０ｉ１と大径路４０ｉ２と弁室４０ｉ３とを有し、大径路４０ｉ２から弁ボール４０ｉ４が弁室４０ｉ３に挿入され、大径路４０ｉ２には切り欠き４０ｉ５が形成されている。図１７（ａ）に示す正立状態において弁ボール４０ｉ４が大径路４０ｉ２を塞いでいるが、切り欠き４０ｉ５によって外気の流入を遮断せず、図１７（ｂ）に示す倒立状態において弁ボール４０ｉ４が小径路４０ｉ１を塞ぎ外気の流入を遮断する。図１８の実施の形態では図１７の実施の形態と同様に構成されるが、スプリング４０ｉ６によって図１８（ａ）に示す正立状態において、弁ボール４０ｉ４が小径路４０ｉ１と大径路４０ｉ２を塞ぐことがないように保持され、外気の流入を遮断せず、図１８（ｂ）に示す倒立状態において、スプリング４０ｉ６によって弁ボール４０ｉ４が小径路４０ｉ１を塞ぎ外気の流入を遮断する。
【００６８】
（外気導入用逆止弁の配置）
次に、外気導入用逆止弁の配置を図１９に基づいて説明する。図１９（ａ）の実施の形態では外気導入用逆止弁４０を多孔質塗布棒３２の先端部分に吐出口３２ａと併設している。図１９（ｂ）の実施の形態では外気導入用逆止弁４０を多孔質塗布棒３２の近傍に設ける。図１９（ｃ）の実施の形態では外気導入用逆止弁４０をブラシを設ける部分に設け、図１９（ｄ）の実施の形態ではコームを設ける部分に設ける。図１９（ｅ）の実施の形態では外気導入用逆止弁４０をブラシを設ける部分から外れた部分に設け、図１９（ｆ）の実施の形態ではコームを設ける部分から外れた部分に設けている。
【００６９】
このように、外気導入用逆止弁４０はポンプを覆うカバー、吐出ノズル、コームまたはブラシを設けた部分、あるいはコームまたはブラシを設けた部分から外れた部分に設けることができ、いかなる使用状態においても液を毛髪や頭、顔の皮膚の必要とする場所へ十分かつ適量塗布することができる。
【産業上の利用可能性】
【００７０】
この発明は育毛剤や整髪料、洗浄剤、化粧剤、美容剤等の塗布液を毛髪や頭、顔の皮膚の必要とする場所へ適量塗布することのできる液塗布用具に適用でき、塗布液を毛髪や頭、顔の皮膚の必要とする場所へ十分かつ適量塗布することができる。
【符号の説明】
【００７１】
１  液塗布用具
１０  容器本体
１１  容器カバー
１２  塗布台座
２０  キャップ
３０  塗布部
３１  ポンプ
３２，６０，８１  多孔質塗布棒
３３  可とう性チューブ
３４  ポンプハウジング
３５  液吐出用逆止弁
３６，５４  錘
３８  ポンプ室
４０  外気導入用逆止弁
５０  液溜め部
５１  綿
５５  液吐出用逆止弁
６１  ブラシ
８２  スポンジ
【図１】
2016059432.tif 000003
【図２】
2016059432.tif 000004
【図３】
2016059432.tif 000005
【図４】
2016059432.tif 000006
【図５】
2016059432.tif 000007
【図６】
2016059432.tif 000008
【図７】
2016059432.tif 000009
【図８】
2016059432.tif 000010
【図９】
2016059432.tif 000011
【図１０】
2016059432.tif 000012
【図１１】
2016059432.tif 000013
【図１２】
2016059432.tif 000014
【図１３】
2016059432.tif 000015
【図１４】
2016059432.tif 000016
【図１５】
2016059432.tif 000017
【図１６】
2016059432.tif 000018
【図１７】
2016059432.tif 000019
【図１８】
2016059432.tif 000020
【図１９】
2016059432.tif 000021